(57)【特許請求の範囲】
【請求項１】
ボトルから供給される水を冷却又は加熱することにより、冷水又は温水を供給する冷温水供給装置であって、
前記冷水を溜める冷水タンクと、
前記温水を溜める温水タンクと、
前記冷水タンクと前記温水タンクとに連結させ、前記ボトルの水又は／及び前記冷水タンクの前記冷水を前記温水タンクに供給する供給管と、
水出口部に対向して周回する立壁部とこの立壁部の内側に前記水が溜められる凹部とを備えて、前記冷水タンクの水位によって上下動して前記水出口部を開閉するフロートと、このフロートを収容したカバーとを備え、前記凹部に溜められた前記水の表面張力と前記フロートに作用する浮力とを保持力に用いて前記水出口部側に前記フロートを保持させ、前記冷水タンクの水位が低下し、前記フロートの重量が前記保持力を超えたとき、前記フロートを下降させて前記水出口部を開いて、前記ボトルに対する前記冷水又は前記温水の対流を抑制する対流抑制手段と、
を備えることを特徴とする冷温水供給装置。
【請求項２】
請求項１の冷温水供給装置において、
前記対流抑制手段は、前記水出口部を閉じた場合に前記水出口部と前記冷水タンクの満水位との間に空気層を形成させ、この空気層によって前記水出口部側の水と前記冷水タンク側の水との間を遮断することを特徴とする冷温水供給装置。
【請求項３】
請求項１の冷温水供給装置において、
前記供給管は、前記冷水タンクの前記水の上層部側と下層部側とを分離する分離板を備えたことを特徴とする冷温水供給装置。
【発明の詳細な説明】
【技術分野】
【０００１】
本発明は、ボトル単位で提供される飲料水等の水を冷却又は加熱により、冷水又は温水として供給する冷温水供給装置に関する。
【背景技術】
【０００２】
ボトル単位で供給されるミネラルウォーター等の水を冷却し、又は加熱して冷水又は温水として提供する冷温水供給装置（飲料水ディスペンサ）が普及している。この冷温水供給装置は、事務所等での飲料水供給の他、一般家庭での飲料水等に用いられている。
【０００３】
このような冷温水供給装置に関し、特許文献１には、水ボトルを機器上部に水出口を下方にして設置し、水ボトルから供給する水を冷水タンクに溜め、冷水タンク内の水位が一定レベル以上に上がると、冷水タンクからオーバーフローさせた水を温水タンクに流し、温水タンクを満水にすることが開示されている。
【特許文献１】特開２０００−８５８９２号公報（要約、図１等）
【発明の開示】
【発明が解決しようとする課題】
【０００４】
ところで、このような冷温水供給装置に関し、温水タンクが満水となり、冷水タンクに水が充填され、その水位が倒立状態に維持されている水ボトルの水出口部まで上昇すると、水ボトルからの水の供給は停止される。この場合、水ボトルの水と冷水とが接するため、対流状態が生じる。
【０００５】
このような状態が継続すると、水ボトル内の水は冷水タンクの冷水によって冷やされ、また、温水タンク側で加熱された水、即ち、温水が給水管から冷水タンクの上層部に流れ込み、その結果、水ボトル内の水が温水によって加熱されるという不都合がある。
【０００６】
このような水ボトル内の水の加熱は衛生上好ましくないことであり、冷水が長時間に亘って消費されず、細菌等で汚染されてしまうと、水ボトル内の水を廃棄する必要がある。また、冷水タンク内の冷水の廃棄や、冷水タンクを定期的に滅菌洗浄することが必要である。
【０００７】
また、温水によって水ボトル内の水が加熱され、水ボトル内の空気の膨張によって内圧が上昇することで、冷水タンク側の水位が異常に上昇すると、水漏れを生じるおそれがある。
【０００８】
そこで、本発明の目的は、冷水又は温水を供給する冷温水供給装置に関し、水ボトルに対する冷水側又は温水側の対流を抑制することにある。
【０００９】
また、本発明の他の目的は、冷水又は温水を供給する冷温水供給装置に関し、誤動作による漏水防止を図ることにある。
【課題を解決するための手段】
【００１０】
上記目的を達成するため、本発明の冷温水供給装置は、上流側と下流側との間に対流を抑制する対流抑制手段を設置することにより、上流側に下流側の冷水や温水が流れ込むのを阻止し、以て上流側の加熱を抑制し、また、誤動作による漏水の発生を防止したものである。
【００１１】
そこで、上記目的を達成するため、本発明の冷温水供給装置は、ボトルから供給される水を冷却又は加熱することにより、冷水又は温水を供給する冷温水供給装置であって、前記冷水を溜める冷水タンクと、前記温水を溜める温水タンクと、前記冷水タンクと前記温水タンクとに連結させ、前記ボトルの水又は／及び前記冷水タンクの前記冷水を前記温水タンクに供給する供給管と、水出口部に対向して周回する立壁部とこの立壁部の内側に前記水が溜められる凹部とを備えて、前記冷水タンクの水位によって上下動して前記水出口部を開閉するフロートと、このフロートを収容したカバーとを備え、前記凹部に溜められた前記水の表面張力と前記フロートに作用する浮力とを保持力に用いて前記水出口部側に前記フロートを保持させ、前記冷水タンクの水位が低下し、前記フロートの重量が前記保持力を超えたとき、前記フロートを下降させて前記水出口部を開いて、前記ボトルに対する前記冷水又は前記温水の対流を抑制する対流抑制手段とを備えることである。斯かる構成により、下流側の水位の下降から時間的に遅れて水出口部が開かれるので、上流側と下流側との水の対流を抑制でき、上記目的を達成することができる。
【００１２】
上記目的を達成するためには、上記冷温水供給装置において、好ましくは、前記対流抑制手段は、前記水出口部を閉じた場合に前記水出口部と前記冷水タンクの満水位との間に空気層を形成させ、この空気層によって前記水出口部側の水と前記冷水タンク側の水との間を遮断してもよい。斯かる構成によって、上流側と下流側との水が空気層によって、分離遮断され、上記目的を達成することができる。
【００１５】
また、上記目的を達成するためには、上記冷温水供給装置において、好ましくは、前記供給管は、前記冷水タンクの前記水の上層部側と下層部側とを分離する分離板を備えた構成としてもよい。斯かる構成によっても、上記目的を達成することができる。
【発明の効果】
【００１６】
(1) 冷水又は温水を供給する冷温水供給装置に関し、冷水側と温水側との対流を抑制することができ、水ボトル側の水や冷水タンクの冷水に温水が混入するといった不都合を防止できる。
【００１７】
(2) 冷水又は温水を供給する冷温水供給装置に関し、冷水側と温水側との対流を抑制でき、冷水側の温水による加熱を抑制できる。
【００１８】
(3) 水ボトル側内の空気の膨張を抑制でき、誤動作による漏水を防止できる。
【００１９】
(4) 水ボトルの水の冷水タンクに対する供給を速やかに行うことができる。
【００２０】
(5) 水出口部の開閉にフロートを設置すれば、簡単な構造で水出口部の開閉をすることができ、低コスト、省スペースに寄与する。
【００２１】
(6) 水出口部をフロートで遮断すれば、冷水タンク側に空気層を形成でき、温水による熱伝導や加熱による細菌感染を抑制できる。
【００２２】
(7) 水出口部をフロートで閉じれば、水の表面張力により空気の進入を抑制でき、水ボトルから冷水タンクへの水の流入を抑制できる。
【発明を実施するための最良の形態】
【００２３】
この冷温水供給装置について、図１及び図２を参照する。図１は、冷温水供給装置の一例を示す図、図２は、冷温水供給装置の外観構成の一例を示す図である。
【００２４】
この冷温水供給装置２の筐体３の上部には、水として例えば、飲料水４が入った水ボトルとして例えば、ガロンボトル６が装置上部に設置され、このガロンボトル６の飲料水４は、第１のタンクである冷水タンク８の蓋部１０から供給される。冷水タンク８の飲料水（冷水）４の水位が上昇してくると、セパレータフロート１２が押し上げられる。セパレータフロート１２の上部が蓋部１０の水出口部１４に接すると、ガロンボトル６から飲料水４の供給が停止する。また、冷水タンク８内の飲料水４の水位が下がって、セパレータフロート１２の上面が蓋部１０の水出口部１４から離れると、例えば、冷水タンク８の蓋部１０に設けた空気取入口１６から取り入れられた空気が、冷水タンク８を通して水出口部１４よりガロンボトル６内に入る。この空気の侵入により、ガロンボトル６から飲料水４が冷水タンク８に供給される。冷水タンク８内の水位が上昇して、セパレータフロート１２が水出口部１４を塞ぐと、再びガロンボトル６からの飲料水４の流入が停止される。即ち、このセパレータフロート１２は、ガロンボトル６内の飲料水４と冷水タンク８内の飲料水４とを遮断する対流抑制手段を構成する。斯かる構成により、冷水タンク８には飲料水４の消費に応じてガロンボトル６から飲料水４が供給されることになる。
【００２５】
冷水タンク８には分離板１８が設置され、冷水タンク８にある飲料水４は、この分離板１８によって上層部と下層部とに仕切られる。冷水タンク８には冷却手段として例えば、蒸発器１９が設置されている。この蒸発器１９は分離板１８によって仕切られた下層部側に設置されており、冷水タンク８内の下層部側の飲料水４を冷却する。冷水タンク８には第１の温度検出手段である冷水センサ２０が設置され、冷水タンク８の飲料水４の温度を検出している。蒸発器１９には筐体３の底部に設置された冷却装置２２が接続され、この冷却装置２２は、例えば圧縮機２４、乾燥器２６、凝縮器２８が冷媒管３０によって連結され、この冷媒管３０の中途部にはキャピラリーチューブ３２が設置されている。斯かる構成において、この冷却装置２２と蒸発器１９との間に冷媒管３０を通して冷媒を循環させることで、冷水タンク８内の飲料水４を冷却している。
【００２６】
冷水タンク８の底部には冷水供給管３４が接続され、この冷水供給管３４には冷水電磁弁３６が設置されている。この冷温水供給装置２では、冷水電磁弁３６を開くことで、冷却された飲料水４を冷水タンク８から冷水供給口３８を通じて給水する。
【００２７】
冷水タンク８の下部には、第２のタンクである温水タンク４０が設置されている。この温水タンク４０には加熱手段として温水ヒータ４２が設置され、この温水ヒータ４２によって温水タンク４０内の飲料水４を加熱している。
【００２８】
温水タンク４０には、分離板１８の中央上面に開口部４４を持つ給水管４６が冷水タンク８を通過させて設置されている。即ち、給水管４６は、分離板１８の中央上面から温水タンク４０の底部側に延びている。温水タンク４０の上部には温水供給管４８が接続され、この温水供給管４８には温水電磁弁５０が設置されており、この温水電磁弁５０が開かれたとき、温水タンク４０内の飲料水４が温水供給口５２から取り出される。この温水供給口５２から飲料水４が取り出された分の飲料水４が給水管４６を通して冷水タンク８側から温水タンク４０に供給される。そして、冷水タンク８の水位低下分の飲料水４が既述の通りガロンボトル６から供給される。
【００２９】
温水タンク４０には第２の温度検出手段である温水センサ５４が設置され、温水タンク４０内の飲料水４の温度を検出している。また、温水タンク４０の底部には排水管５６が接続されており、この排水管５６は排水栓５８によって開閉される。
【００３０】
冷水センサ２０や温水センサ５４は、後述する設定温度の検出が行えるものであればどのような構成でもよく、例えば、サーミスタ温度計等を利用する構成であってもよい。
【００３１】
また、冷水タンク８の底部と温水タンク４０の上部との間には、給水管４６とは別にバイパス管６０が接続され、このバイパス管６０はバイパス弁６２によって開閉される。このバイパス管６０は、温水タンク４０と冷水タンク８との間で飲料水４を循環させる循環通路を形成しており、バイパス弁６２が開放されると、温水タンク４０内の加熱された飲料水４が冷水タンク８に循環する構成である。この循環通路と給水管４６との間でショートサイクルを防止するために、給水管４６の開口部４４が分離板１８の上方に開口され、バイパス管６０が冷水タンク８の底部に開口されている。
【００３２】
この冷温水供給装置２には制御手段として制御装置６４が設置され、この制御装置６４には表示・操作部及び制御部が設置されている。そして、この制御装置６４には、冷水センサ２０、温水センサ５４等の検出情報が取り込まれ、冷却制御、加熱制御、省エネ制御等の各種制御が行われる。
【００３３】
この冷温水供給装置２は、図２に示すように、筐体３の上部にガロンボトル６の載置部６６が形成され、その下側に表示・操作部６８が設置されており、その下部には給水窓部７０が開口され、その内部に冷水供給口３８及び温水供給口５２が設置されている。これら冷水供給口３８及び温水供給口５２の下側にはカップを載せる載置部７２が形成されている。
【００３４】
次に、表示・操作部について、図３を参照する。図３の（Ａ）は、表示・操作部の一例であるパネル部の構成を示す図、図３の（Ｂ）は、表示部の一例を示す図である。図３において、図２と同一部分には同一符号を付してある。
【００３５】
この表示・操作部６８には、図３の（Ａ）に示すように、時刻等を表示する表示部７４、値を加算するための加算スイッチ（ＳＷ）７６、値を減算するための減算スイッチ（ＳＷ）７８、設定モードへの切替えやその解除を行うための設定スイッチ（ＳＷ）８０、省エネモードへの切替えやその解除を行うための省エネスイッチ（ＳＷ）８２、タイマー１３０（図４）や時刻を調整するためのタイマー／時計スイッチ（ＳＷ）８４、スタート又はストップを行うためのスタート／ストップスイッチ（ＳＷ）８６、高温水循環による清浄化処理中であることをユーザに報知する自動高温水循環モード表示部８８、強制温度変更スイッチの一例として通常運転とは異なる高温設定の指令又はその解除を行うための高温設定スイッチ（ＳＷ）９０、強制温度変更スイッチの一例として通常運転とは異なる冷水設定の指令又はその解除を行うための冷水設定スイッチ（ＳＷ）９２、給湯を指令するための給湯スイッチ（ＳＷ）９４、給湯や給水のロック解除を指令するためのロック解除スイッチ（ＳＷ）９６、給水を指令するための給水スイッチ（ＳＷ）９８が設置されている。また、高温設定スイッチ９０の近傍には、第１の運転モードとして通常運転時の設定温度である例えば、８５〔℃〕が点灯によって表示する通常温度表示部１００、強制高温時に点灯によって表示する高温表示部１０２が設置され、これらはＬＥＤ（Light Emitting Diode）等のランプで構成されている。冷水設定スイッチ９２の近傍には、第１の冷水設定温度例えば、８〔℃〕であることを点灯によって表示する温度表示部１０４、第２の冷水設定温度例えば、１２〔℃〕であることを点灯によって表示する温度表示部１０６が設置され、これらもＬＥＤ等のランプで構成されている。その他、ロック解除ＳＷ９６により給湯ＳＷ９４又は給水ＳＷ９８のロックが解除されているか否かを示すロック解除表示部１０７や省エネＳＷ８２の押下を示す省エネ表示部１０８等を備えている。
【００３６】
表示部７４には、図３の（Ｂ）に示すように、時計・タイマー時間表示部１０９、タイマー表示部１１０、ステージ表示部１１２、１１４、開始表示部１１６、終了表示部１１８が設定されている。この時計・タイマー時間表示部１０９には、通常の時計表示の他、清浄化処理や省エネモードの開始時間等の設定内容を表示する。
【００３７】
次に、制御装置の構成について、図４を参照する。図４は、制御装置の構成例を示す図である。図４において、図１及び図３と同一部分には同一符号を付している。なお、この制御装置の構成は、一例を挙げるものであり、これに限定されるものではい。
【００３８】
この制御装置６４は、マイクロコンピュータ等からなる制御部１２０で構成されており、この制御部１２０は、表示・操作部６８に接続されている。制御部１２０は、プロセッサ１２２、Ｉ／Ｏ部１２４、記憶部１２６、ＲＡＭ（Random Access Memory）１２８、タイマー１３０等で構成され、これらはバス１３２を介して接続されている。
【００３９】
プロセッサ１２２はＣＰＵ(Central Processing Unit) 又はＭＰＵ(Micro Processor Unit)で構成され、記憶部１２６に格納されているＯＳ(Operating System)や動作プログラムを実行する。Ｉ／Ｏ部１２４は、制御部１２０の入出力のインターフェースであって、例えば、冷水センサ２０、温水センサ５４からの検出温度情報を取り込む等、このＩ／Ｏ部１２４に接続された温水ヒータ４２、温水電磁弁５０、冷水電磁弁３６、圧縮機２４、バイパス弁６２等に対して、動作制御信号を送出している。また、表示・操作部６８からの入力操作指示を取り込むとともに、表示制御信号を送出している。
【００４０】
記憶部１２６は、ＲＯＭ（Read Only Memory）で構成され、プロセッサ１２２に実行させるＯＳや、冷温水供給装置の動作プログラム等に関する動作プログラムを記憶するプログラム記憶部として機能する等、各種、検出温度情報等を記憶するようにしてもよい。また、ＲＡＭ１２８は、上記の動作プログラムを処理するワーキングエリアとして機能する。タイマー１３０は計時手段及び時計手段であって、各種の動作制御に関する時刻情報を取得する等、制御に必要な時間計測を行う。
【００４１】
その他、この制御装置６４には、冷温水供給装置２の給電制御を行う電源部１３４や、動作異常等の場合の報知手段として、ブザー１３６等が接続されている。
【００４２】
次に、セパレータフロート及び飲料水の流れについて、図５及び図６を参照する。図５は、セパレータフロートの構成例を示す図、図６は、飲料水の流れを示す図である。図５及び図６において、図１と同一部分には同一符号を付してある。
【００４３】
ガロンボトル６を載置部６６に設置すると、蓋部１０の中央部にある突起１４０がガロンボトル６のキャップ１４２にある弁１４４を開き、飲料水４が取込口部１４６に入り、水出口部１４からセパレータフロート１２に向かって流出する。セパレータフロート１２のフロートカバー１４８は、円周及び底部が格子構造になっており、飲料水４はその格子間から冷水タンク８に流入する。この飲料水４は、分離板１８の周囲から冷水タンク８に入り、同時に分離板１８の中央にある開口部４４から給水管４６に流れ、温水タンク４０に供給される。斯かる構成において、図６に示すように、冷水タンク８内の水位が下がることによって、セパレータフロート１２の位置が下がり、蓋部１０の水出口部１４から飲料水４が供給される。
【００４４】
次に、空気の流れについて、図７を参照する。図７は、空気の流れを示す図である。図７において、図５と同一部分には同一符号を付してある。
【００４５】
ガロンボトル６内の飲料水４は蓋部１０の中央の水出口部１４から流出するが、その流出の分だけガロンボトル６の内部が負圧化され、その負圧化による空気流入（息継ぎ）で飲料水４の流出が一旦止まり、図７に示すように、空気取入口１６からガロンボトル６内に空気１４９が入り、負圧化が解消されると、飲料水４の流出が開始される。このような飲料水４の流出と空気流入とが交互に繰り返され、冷水タンク８に対する飲料水４の供給が行われる。
【００４６】
次に、飲料水の遮断について、図８を参照する。図８は、飲料水の遮断を示す図である。図８において、図５と同一部分には同一符号を付してある。
【００４７】
図８に示すように、温水タンク４０が満水になるとともに、冷水タンク８内の水位が上昇すると、セパレータフロート１２がフロートカバー１４８内において、冷水タンク８内の水位に応じて浮き上がって蓋部１０の底部に当たり、飲料水４の流入を遮断するとともに、空気の吸い込み（流入）を遮断する。このとき、飲料水４の水位は、蓋部１０の底部よりも下回っており、その蓋部１０の底部に接しておらず、空気層１５０が形成される。即ち、セパレータフロート１２は冷水タンク８内の飲料水４に浮いた状態であり、その上部側の一部が水面上に出ているため、その浮上部の分だけ、冷水タンク８内の飲料水４の水面とガロンボトル６の水出口部１４との間に空気層１５０が形成される。
【００４８】
この場合、セパレータフロート１２の上部が水出口部１４の直下にあり、その凹部１５２には飲料水４が溜まっている。この凹部１５２内の飲料水４は、飲料水４の供給時に溜められたものである。冷水タンク８の水位が上昇し、セパレータフロート１２が蓋部１０の底部に接近し、ガロンボトル６からの飲料水４の流出が終わり、セパレータフロート１２の凹部１５２の飲料水４と接触すると、息継ぎの空気流入が停止し、飲料水４の流出が遮断される。このとき、セパレータフロート１２の凹部１５２にある飲料水４は蓋部１０の底部に密着するとともに、表面張力が作用する。この表面張力は、空気の流入を阻止する働きをする。
【００４９】
冷水タンク８の飲料水４が消費され、その水位が低下すると、蓋部１０の底部に密着しているセパレータフロート１２は浮力による保持力を失い、セパレータフロート１２が持つ重さが飲料水４による表面張力に打ち勝ち、蓋部１０の底部との密着状態から開放され、セパレータフロート１２が冷水タンク８の低下した水位まで落下する。この結果、ガロンボトル６に空気が流入し、これに応じてガロンボトル６から冷水タンク８に飲料水４が流入する。
【００５０】
次に、セパレータフロートについて、図９を参照する。図９の（Ａ）は、セパレータフロートの構成を示す正面図、図９の（Ｂ）はその平面図である。
【００５１】
セパレータフロート１２には、図９の（Ａ）に示すように、上面側に周回状の弁部１５４が形成されるとともに、この弁部１５４を成す立壁部１５６によって周回された凹部１５２が形成されている。即ち、立壁部１５６は、蓋部１０の底部側に密着し、凹部１５２内に充填された飲料水４は、表面張力によって立壁部１５６よりも盛り上がって貯留される構造である。そこで、立壁部１５６の上端は、平面に形成されることが望まれる。また、立壁部１５６の内径は水出口部１４の径よりも十分に広く設定することが、十分な表面張力を得る上で有効である。
【００５２】
また、セパレータフロート１２は十分な浮力を生じさせるための空洞部１５８を備えているとともに、その下面部には空気を溜める凹部１６０が形成されている。また、セパレータフロート１２の材質は、耐水性を持ち、水に対して浮力を得るために例えば、樹脂又は発砲樹脂等、表面張力に打ち勝つ程度の重さがあり、浮力が得られる材質であれば、どのような材質でもよい。また、空洞部１５８や材質によって十分な浮力が得られるのであれば、下面側の凹部１６０は省略してもよい。
【００５３】
セパレータフロート１２の下面側には、中央に軸部１６２が設けられ、その下端はフロートカバー１４８の中央の孔１６８（図１０）に嵌合する。また、セパレータフロート１２の周囲に放射状に一定の間隔で形成された複数のリブ１６４は、セパレータフロート１２が上下するときのガイドリブであって、セパレータフロート１２の補強とともに、重み付けを兼用している。また、フロートカバー１４８と、セパレータフロート１２の各リブ１６４との隙間は僅少であって、両者間のスムーズな摺動を確保するため、線接触させている。
【００５４】
次に、フロートカバーについて、図１０を参照する。図１０は、フロートカバーの構成例を示す図ある。
【００５５】
図１０に示すように、フロートカバー１４８は蓋部１０の底部に取り付けられ、蓋部１０とフロートカバー１４８とはロック機構１６６（図８）によって着脱可能である。また、フロートカバー１４８の底部中央には、セパレータフロート１２の軸部１６２（図９）を挿通させるための孔１６８が設けられている。
【００５６】
斯かる構成により、冷水タンク８内の水位が上昇に伴ってセパレータフロート１２が浮上した場合に、セパレータフロート１２の軸部１６２がフロートカバー１４８の孔１６８によって、その浮上する進路が決められ、既述のように、セパレータフロート１２の立壁部１５６及び凹部１５２を蓋部１０の所定位置に接触させることができ、水出口部１４を確実に閉止させることができる。また、このように、セパレータフロート１２を蓋部１０に接触させて、冷水タンク８内の飲料水４の水面と蓋部１０の水出口部１４との間に空気層１５０を形成し、水の表面張力を利用することで、冷水側と温水側との対流を抑制することができ、ガロンボトル６側の水や冷水タンク８の冷水に温水が混入したり、冷水側が温水により加熱されるといった不都合を抑制でき、温水による熱伝導や加熱による細菌感染等を抑制することができる。その他、フロート構造により水出口部１４の開閉をすることで、低コスト、省スペースに寄与する。
【００５７】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００５８】
本発明は、水を冷却又は加熱して供給する冷温水供給装置に関し、より簡易な構成で確実に水ボトル側の水と冷水タンク側の水との対流を防止でき、水ボトル側の水や冷水タンクの冷水に温水が混入して冷水タンク内の水が加熱されるのを抑制できる。また、水出口部をフロートで遮断することで、冷水タンク側に空気層が形成され、温水による熱伝導や加熱による細菌感染を抑制でき、有用である
【図面の簡単な説明】
【００５９】
【図１】冷温水供給装置の一例を示す図である。
【図２】冷温水供給装置の外観構成の一例を示す図である。
【図３】冷温水供給装置の表示・操作部の一例示す図である。
【図４】制御装置の構成を示す図である。
【図５】セパレータフロートの構成例を示す図である。
【図６】飲料水の流れを示す図である。
【図７】空気の流れを示す図である。
【図８】飲料水の遮断を示す図である。
【図９】セパレータフロートの構成例を示す図である。
【図１０】フロートカバーの構成例を示す図である。
【符号の説明】
【００６０】
２  冷温水供給装置
３  筐体
４  飲料水
６  ガロンボトル
８  冷水タンク
１０  蓋部
１２  セパレータフロート
１４  水出口部
１６  空気取入口
３４  冷水供給管
４０  温水タンク
１４０  突起
１４６  取込口部
１４８  フロートカバー
１５０  空気層
１５２  凹部
１５４  弁部
１５６  立壁部
１５８  空洞部
１６０  凹部
１６２  軸部
【図１】
0004842984.tif 000002
【図２】
0004842984.tif 000003
【図３】
0004842984.tif 000004
【図４】
0004842984.tif 000005
【図５】
0004842984.tif 000006
【図６】
0004842984.tif 000007
【図７】
0004842984.tif 000008
【図８】
0004842984.tif 000009
【図９】
0004842984.tif 000010
【図１０】
0004842984.tif 000011